(57)【要約】  【課題】  必ずしも摩擦抵抗値が大きいものがすべり抵抗値が大きくてすべりにくいとは限らなく、従来適正に設定できていなかった無機床材のタイルや石材等の組成、形状毎の床面のすべりの安全数値を設定して安全管理をはかれるようにすることにある。  【解決手段】  携帯可能な床面等のすべり計測器１のウエイト部５の底面に被計測部７に当接する３点等の多点支持の計測材７と不定形状面の計測材８の計測用設置材９をそれぞれ装着して点式と面式で計測するようにし、床面等を施設した現場に上記したすべり計測器１を設置して３点等の多点支持の計測材７と不定形状面の計測材８の計測用設置材９でそれぞれ計測して、その計測値を施設当初相当のすべり抵抗値と比較して施設材のすべり状況を管理できる。【選択図】    図３
2010122019.tif 000002
【特許請求の範囲】
【請求項１】
所定の重量としたウエイト部をすべり抵抗を計測する被計測部に設置して、このウエイト部を引っ張ってその移動時のすべり抵抗量を計測器で計測する携帯可能な床面等のすべり計測器であって、
上記ウエイト部の底面に被計測部に当接する３点等の多点支持の計測材と不定形状面の計測材の計測用設置材をそれぞれ装着して点式と面式で選択的または併用して計測するようにしたことを特徴とする床面等のすべり計測器。
【請求項２】
ウエイト部の底面部に装着ガイド溝を設け、３点等の多点支持の計測材と所定面積の不定形状面の計測材の計測用設置材を交換可能にウエイト部の底面部の装着ガイド溝に挿着するようにした請求項１に記載の床面等のすべり計測器。
【請求項３】
ウエイト部をチエーンやワイヤー等の牽引具を介して０〜１５度の仰角として引っ張り自在に計測器に接続するとともに、計測器を円滑に摺動可能に摺動レールに搭載し、計測器をチエーンやワイヤー、紐等のフレキシブル材を介して引っ張り自在に形成した請求項１または２に記載の床面等のすべり計測器。
【請求項４】
被計測部と計測部を搭載台に搭載可能に形成するとともに、この搭載台を０〜±１５度の傾斜角度に傾斜自在に形成した請求項１ないし３のいずれかに記載の床面等のすべり計測器。
【請求項５】
所定の重量としたウエイト部をすべり抵抗を計測する被計測部に設置して、このウエイト部を引っ張ってその移動時のすべり抵抗量を計測器で計測して管理する床面等のすべり管理方法であって、
上記ウエイト部の底面に被計測部に当接する３点等の多点支持の計測材と不定形状面の計測材の計測用設置材をそれぞれ装着して点式と面式で選択的または併用して計測するようにし、
床面等を施設した現場に上記したすべり計測器を設置して３点等の多点支持の計測材と不定形状面の計測材の計測用設置材を介して計測し、その計測値を施設当初相当のすべり抵抗値と比較して施設材のすべり状況を管理して、必要より施設材を補修することを特徴とする床面等のすべり管理方法。
【請求項６】
床面等の被測定部の施設材がその表面にミクロン単位の微小孔を開孔した防滑性を有する防滑性の施工用タイル等の敷設材である請求項５に記載の床面等のすべり管理方法。
【発明の詳細な説明】
【技術分野】
【０００１】
本発明は、建築分野や道路分野におけるタイルや大理石等の石材の床面や歩道面等の床面等のすべり計測器およびすべり管理方法に関するものである。
【背景技術】
【０００２】
近年、タイルや大理石等の石材の床面や歩道面でのスリップ事故が多発している。そのときにスリップ面の摩擦抵抗値を計測して、道路面等のスリップ状況の判断基準とされていて、摩擦抵抗値が大きいと滑りにくく、摩擦抵抗値が小さいと滑りやすいと判断されている。しかし、現実には、摩擦抵抗値が大きくても、滑るものは滑っているのが実情である。
【０００３】
現在、国内では、特開平５−１１７００号公報に記載のようにＣＳＲによるすべり抵抗値がＪＩＳ規格に認定されている。しかし、これは、ビニール系床材を対象として認定されたもので、無機床材のタイルや石材の摩擦測定にも流用されているが、近年の床材には凸凹や平坦なものなど、多様なものがある。
【特許文献１】特開平５−１１７００８号公報
【０００４】
しかし、上記したＣＳＲによるすべり抵抗値は、タイルや石材の表面の磨き面の状態によって実際の歩行感覚と一致しないことが知られていて、すべりを対象とする場所、床材毎の各々に対策前後を相対比較で計測して、各々の条件に対応してすべりの安全数値を設定することが重要である。
【発明の開示】
【発明が解決しようとする課題】
【０００５】
本発明は、従来適正に設定できていなかった無機床材のタイルや石材等のすべりを対象とする場所、床材毎の各々に対策前後を相対比較で計測して、各々の条件に対応してすべりの安全数値を設定して安全管理をはかれるようにすることが課題である。
【課題を解決するための手段】
【０００６】
本発明は、上記のような点に鑑みたもので、上記の課題を解決するために、所定の重量としたウエイト部をすべり抵抗を計測する被計測部に設置して、このウエイト部を引っ張ってその移動時のすべり抵抗量を計測器で計測する携帯可能な床面等のすべり計測器であって、上記ウエイト部の底面に被計測部に当接する３点等の多点支持の計測材と不定形状面の計測材の計測用設置材をそれぞれ装着して点式と面式で選択的または併用して計測するようにしたことを特徴とする床面等のすべり計測器を提供するにある。
【０００７】
また、ウエイト部の底面部に装着ガイド溝を設け、３点等の多点支持の計測材と所定面積の不定形状面の計測材の計測用設置材を交換可能にウエイト部の底面部の装着ガイド溝に挿着するようにした床面等のすべり計測器を提供するにある。
【０００８】
また、ウエイト部をチエーンやワイヤー等の牽引具を介して０〜１５度の仰角として引っ張り自在に計測器に接続するとともに、計測器を円滑に摺動可能に摺動レールに搭載し、計測器をチエーンやワイヤー、紐等のフレキシブル材を介して引っ張り自在に形成した床面等のすべり計測器を提供するにある。
【０００９】
さらに、被計測部と計測部を搭載台に搭載可能に形成するとともに、この搭載台を０〜±１５度の傾斜角度に傾斜自在に形成した床面等のすべり計測器を提供するにある。
【００１０】
さらにまた、所定の重量としたウエイト部をすべり抵抗を計測する被計測部に設置して、このウエイト部を引っ張ってその移動時のすべり抵抗量を計測器で計測して管理する床面等のすべり管理方法であって、上記ウエイト部の底面に被計測部に当接する３点等の多点支持の計測材と不定形状面の計測材の計測用設置材をそれぞれ装着して点式と面式で選択的または併用して計測するようにし、床面等を施設した現場に上記したすべり計測器を設置して３点等の多点支持の計測材と不定形状面の計測材の計測用設置材を介して計測し、その計測値を施設当初相当のすべり抵抗値と比較して施設材のすべり状況を管理して、必要より施設材を補修することを特徴とする床面等のすべり管理方法を提供するにある。
【００１１】
さらにまた、床面等の被測定部の施設材がその表面にミクロン単位の微小孔を開孔した防滑性を有する防滑性の施工用タイル等の敷設材である床面等のすべり管理方法を提供するにある。
【発明の効果】
【００１２】
本発明の床面等のすべり計測器は、ウエイト部の底面に被計測部に当接する３点等の多点支持の計測材と不定形状面の計測材の計測用設置材をそれぞれ装着して点式と面式で選択的または併用して計測するようにしたことによって、設置場所毎に異なり、すべりも場所毎に異なるものであっても、容易に持ち運べるすべり計測器の３点等の多点支持の計測材と不定形状面の計測材の計測用設置材を介してすべり抵抗値を計測して、これらを相対的に比較してすべりの安全数値を設定して安全管理をはかれるようにできる。
【００１３】
また、ウエイト部の底面部に装着ガイド溝を設け、３点等の多点支持の計測材と不定形状面の計測材の計測用設置材を交換可能にウエイト部の底面部の装着ガイド溝に挿着するようにすることによって、ウエイト部の底面部に３点等の多点支持の計測材と不定形状面の計測材の計測用設置材を簡単に装着できて、被計測部のすべり抵抗値を簡単に計測でき、上記のようにこれらを相対的に比較してすべりの安全数値を設定して安全管理をはかれるようにできる。
【００１４】
また、ウエイト部をチエーンやワイヤー等の牽引具を介して０〜１５度の仰角として引っ張り自在に計測器に接続するとともに、計測器を円滑に摺動可能に摺動レールに搭載し、計測器をチエーンやワイヤー、紐等のフレキシブル材を介して引っ張り自在に形成したことによって、計測器をチエーンやワイヤー、紐等のフレキシブル材を介して引っ張れて計測器を円滑に摺動レールにそって摺動して、ウエイト部をチエーンやワイヤー等の牽引具を介して円滑に滑らせることができる。
【００１５】
さらに、被計測部と計測部を搭載台に搭載可能に形成するとともに、この搭載台を０〜±１５度の傾斜角度に傾斜自在に形成することによって、容易に所要の傾斜角度としてすべり状況を計測することができる。
【００１６】
さらにまた、ウエイト部の底面に被計測部に当接する３点等の多点支持の計測材と不定形状面の計測材の計測用設置材をそれぞれ装着して点式と面式で選択的または併用して計測するようにし、床面等を施設した現場に上記したすべり計測器を設置して３点等の多点支持の計測材と不定形状面の計測材の計測用設置材を介してそれぞれ計測し、その計測値を施設当初相当のすべり抵抗値と比較して施設材のすべり状況を管理して、必要より施設材を補修することによって、適正に管理できていなかった無機床材のタイルや石材等の床面等のすべりを対象とする場所、床材毎等の各々に対策前後を相対比較で計測して、各々の条件に対応してすべりの安全数値を設定して安全管理をはかれるようにできる。
【００１７】
さらにまた、床面等の被測定部の施設材がその表面にミクロン単位の微小孔を開孔した防滑性を有する防滑性の施工用タイル等の敷設材である床面等を上記のようにしてすべり管理を行えて、表面にミクロン単位の微小孔を開孔した防滑性を有する防滑性の施工用タイル等の敷設材についてすべり管理を行うことができる。
【発明を実施するための最良の形態】
【００１８】
本発明の床面等のすべり計測器およびすべり管理方法は、所定の重量としたウエイト部をすべり抵抗を計測する被計測部に設置して、このウエイト部を引っ張ってその移動時のすべり抵抗量を計測器で計測する携帯可能な床面等のすべり計測器であって、上記ウエイト部の底面に被計測部に当接する３点等の多点支持の計測材と不定形状面の計測材の計測用設置材をそれぞれ装着して点式と面式で選択的または併用して計測し、すべり管理することを特徴としている。
【００１９】
すべり計測器１は、容易に持ち運べる小型の携帯式のもので、ホテルのエントランスやロビー、廊下、階段、百貨店のエントランスやフロアー、駅やビル、マンションのフロアー、階段、玄関、浴場やプールサイド、その他に設置されている天然大理石や人工大理石、御影石、タイル、セラミックタイル、ホーローなどの床面や歩道面が適用でき、特に表面にミクロン単位の微小孔を多数個開孔して微小孔による吸着作用や表面張力作用によって優れた防滑特性を発揮できるようにしているものに適用できるものであり、図１、図２のようにロードセル等の引っ張り力を電気変換する荷重変換器２を内装した計測器３に所定の重量のウエイト４を装着したウエイト部５をチエーンやワイヤー等の連結具６を介して接続して構成している。
【００２０】
このウエイト部５には、その底面に３点等の多点支持の計測材７と不定形状面の計測材８の計測用設置材９をそれぞれ装着するようにして被計測部１０に当接するようにし、３点等の多点支持の計測材７の点式と不定形状面の計測材８の面式ですべり抵抗を計測するようにし、設置場所毎に異なり、すべりも場所毎に異なものであっても、これらを相対的に比較してすべりの安全数値を設定して安全管理をはかれるようにしている。
【００２１】
ウエイト部５の底面部には、図３のように両側に装着ガイド溝１１を設け、上記した３点等の多点支持の計測材７と不定形状面の計測材８を交換可能に装着ガイド溝１１に挿着するようにし、設置場所や被計測部１０に対応して、これらを相対的に比較して被計測部７のすべり抵抗値を計測するようにしているが、他の手段で交換可能等に装着して計測するようにもできる。
【００２２】
また、図１、図２のようにウエイト部５の前部にフック１２等を設けてをチエーンやワイヤー等の連結具６を介して引っ張り自在に計測器３に接続するとともに、計測器３を円滑に摺動可能に摺動レール１３に搭載し、計測器３の前端部をチエーンやワイヤー、紐等のフレキシブル材１４を介して引っ張って計測器３を円滑に摺動レール１３にそって摺動して、ウエイト部５を円滑に滑らせるようにしている。
【００２３】
上記計測用設置材９は、図３のように矩形状のアクリル樹脂等のプラスチック板の底面側の前方に１個ないし複数個、後方に２個ないし複数個のウレタン樹脂やゴムの小径の突起１５を取り付けた３点等の多点支持の計測材７と、矩形状のアクリル等のプラスチック板の底面にウレタン樹脂やブチルゴム等の表面部が不定形状の凹凸面模様となった不定形状面の計測材８としている。多点支持の計測材７は、３点式が少数で被計測部１０に全体的に支持してこのましいが、４点、５点式の多点式とすることも可能である。
【００２４】
発明者は、長年にわたって滑り止め施工を研究・開発に努めてきて、前記したようにＪＩＳ規格に認定されているＣＳＲによるすべり抵抗測定機でも、千差万別といってよい位の床材のすべり状況を客観的に把握できず、そのため多数の人が転倒事故を生じているのに鑑み、これらの床材のすべり状況を客観的に把握できるすべり計測用設置材９を見い出したものである。
【００２５】
後述するように通常の平面材のものでは、大理石、御影石、セラミックタイルなどの床面のすべり抵抗値に余り変化が生じなく、かつ乾燥状態と湿った状態でのすべり抵抗値の差の計測が難しい。そのため、上記したような３点等の多点支持式と不定形状面式のものを見い出し、これらを各床面の状況、材質、汚れ等に対応して選択的または併用して客観的な数値で検出して計測できるようにしたものである。
【００２６】
上記計測用設置材９は、図３のように４０〜１５０ｍｍ位の大きさのものが携帯的に利用しやすく、汎用的で好ましく、その多点支持式の計測材７としては上記したように計測面の前方側に１個ないし数個、後方側に２個ないし数個の歩行対象である運動靴やウオーキングシューズの底面のような硬度６０〜９０位の合成ゴムや天然ゴムの１０〜２０ｍｍ径、３〜１０ｍｍ高さの突起１５を板材に一体的または接合して取り付けて形成することができる。突起１５の径が余りに小さくても，大きくても好ましくなく、また高さも余りに低かったり、高かっても好ましくなく、上記の範囲のものが汎用的で、安定して使用することができる。
【００２７】
また、計測用設置材９の不定形状面の計測材８としては、上記のように同様の大きさで、歩行対象である運動靴やウオーキングシューズの底面のような硬度６０〜９０位の合成ゴムや天然ゴムの凹凸面が、一定方向や特定方向、面対称状や点対称状でなくて、不定形状で、凸凹面もその深さがランダムのものが多様な床面に汎用的で好ましく、特に表面にミクロン単位の微小孔を多数個開孔して微小孔による吸着作用や表面張力作用によって優れた防滑特性を発揮できるようにしているものに適用できる。
【００２８】
計測用設置材９の材質としては、上記のようなものが好ましいが、歩行対象である運動靴やウオーキングシューズ等の底面に使用されている合成ゴムや天然ゴム、皮革に対応したものも、必要より適用できる。
【００２９】
このようなウエイト部５を引っ張って計測する計測器３は、図１、図２のように引っ張り力を電気的出力に変換するロードセル等の荷重変換器２で検出し、その検出した出力信号を増幅器１６で増幅処理するとともに、Ａ／Ｄ変換器１７でディジタル変換してそのビークの数字を表示部１８に表示するようにしている。１９は電池の電源、２０は電源スイッチである。
【００３０】
上記計測器３は、図１、図２のようにレール台２１の摺動レール１３に軸支具２２を介して搭載して円滑に摺動して移動できるものとしている。そして、この計測器３の両側部にＵ字状の把手２３を前方側に向けて装着し、この把手２３の前端部に係止具２４を取り付けてチエーンやワイヤー、紐等のフレキシブル材１４の一端部を係止し、他端側を引っ張ったり、図４のように重錘や電動器に接続したりして牽引自在とすることができる。
【００３１】
また、ウエイト部５をチエーンやワイヤー等の連結具６を介して０〜１５度、好ましくは３〜１０度または５〜１０度の仰角として引っ張り自在に計測器３に接続して、上記した計測器３の前端部のフレキシブル材１４を介して引っ張って、ウエイト部５の前端側を上方側に向けた負荷を課してウエイト部５を円滑に滑らせるようにするのが好ましい。
【００３２】
さらに、図５のように被計測部１０とすべり計測器１を搭載台２５に搭載可能に形成して、この搭載台２５を０〜±１５度の傾斜角度に傾斜自在に形成し、容易に所要の傾斜角度としてすべり状況を計測するようにもできる。
【実施例】
【００３３】
図１〜図３は、本発明の一実施例を示すものである。すべり計測器１は、図１、図２のように容易に持ち運べる小型の携帯式のものとして、図１、図２のようにロードセルの荷重変換器２を内装し、１〜５kgの重量のウエイト４を装着したウエイト部５をチエーンの連結具６を介して計測器３に接続し、ウエイト部５の底面に３点支持の計測材７と不定形状面の凸凹面とした計測材８の計測用設置材９を交換可能に装着するようにして被計測部１０に当接するようにし、３点支持の計測材７の点式と不定形状面の計測材８の面式ですべり抵抗を計測するようにし、これらを相対的に比較してすべりの安全数値を設定して安全管理をはかるようにしている。
【００３４】
上記計測用設置材９は、図３のように４０×１５０ｍｍの大きさの矩形状のアクリル樹脂板の底面側の前方中央に１個、後方の左右対称位置に２個の硬度７０位のウレタンゴムの１５ｍｍ径、１０ｍｍ高さの突起１５を接合して取り付けた３点支持の計測材７と、４０×１５０ｍｍの大きさの矩形状のアクリル樹脂板の底面に硬度７０位のウレタンゴムの表面部が不定形状の凹凸面模様となった不定形状面の計測材８としている。
【００３５】
上記ウエイト部５の底面部には、その両側に装着ガイド溝１１を設け、上記した３点支持の計測材７と不定形状面の計測材８を交換可能に装着ガイド溝１１に挿着するようにして、被計測部１０のすべり抵抗値を計測するようにしている。
【００３６】
また、図１、図２のようにウエイト部５をチエーンの連結具６を介して引っ張り自在に計測器３に接続するとともに、計測器３を円滑に摺動可能にレール台２１に設置した摺動レール１３に搭載し、計測器３の前端部にワイヤーのフレキシブル材１４を介して引っ張ってウエイト部５を円滑に滑らせるようにしている。
【００３７】
このようなウエイト部５に１〜２．２kgのウエイト４を搭載して、上記のように３点支持の計測材７と不定形状面の計測材８と参考用として平坦面のものを交換して装着して、磨き人工大理石の表面にミクロン単位の微小孔を開孔していないものと、開孔処理した防滑のものについて、乾燥状態と湿潤状態でのすべり抵抗値を計測した。計測器３での引っ張り力は、ロードセルの荷重変換器２で検出し、その検出した出力信号を増幅器１６を介してＡ／Ｄ変換器１７でディジタル変換してそのピークの数字を表示部１８で読み取って換算し、図６〜図８のようにその結果を表示した。計測値は、ばらつきが多くて、ほぼ各数十回にわたって測定している。
【００３８】
その結果、図６、図７のように３点支持の計測材７と不定形状面の計測材８では、微小孔を開孔していない未処理のものと、開孔処理した防滑処理のもの、乾燥状態と湿潤状態のものでは、負荷に相違があっても明白にすべり状態を客観的に数値で識別できる。
しかし、平坦面のものでは、図８のように微小孔を開孔していない未処理のものと、開孔処理した防滑処理のものでは、データに重なり部分が多くて、すべり状態を客観的に識別するのは難しい。
【００３９】
このように本発明は、床面等のすべり計測器１では、被計測部１０に当接する３点支持の多点支持の計測材７と不定形状面の計測材８の計測用設置材９の点式と面式で選択的または併用して計測することによって、設置場所毎に異なり、すべりも場所毎に異なものであっても、これらを相対的に比較してすべりの安全数値を設定して安全管理をはかるようにでき、たとえば計測値を施設当初相当のすべり抵抗値と比較して施設材のすべり状況を管理して、すべり抵抗値が相対てきに低くなっていると、施設材を再処理したりして補修することによって適正に管理できる。そのため、従来では適正に管理できなかった無機床材のタイルや石材等のすべりを対象とする場所、床材等の組成、形状毎の各々に対策前後を相対比較で計測して、各々の条件に対応してすべりの安全数値を設定して安全管理をはかれるようにできる。
【００４０】
さらにまた、従来では適正に管理できなかった被測定部の施設材がその表面にミクロン単位の微小孔を開孔した防滑性を有する防滑性の施工用タイル等の敷設材である床面等を上記のようにしてすべり管理を行えて、表面にミクロン単位の微小孔を開孔した防滑性を有する防滑性の施工用タイル等の敷設材についてすべり管理を行うことができる。
【００４１】
また、図４のように計測器３の両側部にＵ字状の把手２３の係止具２４に係止したワイヤーのフレキシブル材１４の他端側を重錘２６を滑車２７を介して吊り下げ可能に引っ張り装置２８を逆Ｖ字状等に組み立て自在とし、重錘２６を介して引っ張ったり、ウインチ様の電動器２９を介して牽引自在とし、人手による計測誤差を回避するようにできる。
【００４２】
また、図５のように被計測部１０とすべり計測器１を搭載台２５に搭載可能に形成して、この搭載台２５を０〜±１５度の傾斜角度に一端を支点として他端側を昇降可能として傾斜自在に形成し、容易に所要の傾斜角度としてすべり状況を計測するようにできる。
【００４３】
なお、上記では、人工大理石の表面にミクロン単位の微小孔を開孔していないものと、開孔処理した防滑のものについて説明したが、クリンカーやタイル、その他のものについても、本発明の趣旨にもとづいて適宜な変形態様を実施巣ことができる。
【図面の簡単な説明】
【００４４】
【図１】本発明のすべり計測器の一実施例の概要説明用側面図、
【図２】同上の平面図、
【図３】同上のウエイト部のすべり計測用設置材の装着説明図、
【図４】同上の他の実施例のすべり計測器の概要説明用側面図、
【図５】同上のさらに他の実施例のすべり計測器の概要説明用側面図、
【図６】同上のすべり計測器による３点支持式の計測用設置材の計測データ線図、
【図７】同上のすべり計測器による不定形状面の計測用設置材の計測データ線図、
【図８】すべり計測器による参考用計測用設置材の計測データ線図。
【符号の説明】
【００４５】
１…すべり計測器    ３…計測器        ５…ウエイト部        ６…連結具
７…計測用設置材    ８…計測用設置材  ９…計測用設置材    １０…計測用設置材  
【図１】
2010122019.tif 000003
【図２】
2010122019.tif 000004
【図３】
2010122019.tif 000005
【図４】
2010122019.tif 000006
【図５】
2010122019.tif 000007
【図６】
2010122019.tif 000008
【図７】
2010122019.tif 000009
【図８】
2010122019.tif 000010